(57)【要約】【課題】衣服への着脱時の操作が容易な送風装置を提供する。【解決手段】送風装置１は、ファンと、ハウジング３と、クランプ部材４と、係止片４３１および係止凹部３２２とを備える。ハウジング３は、本体部３１とフランジ部３７とを含む。本体部３１は、ファンを収容するとともに、衣服の服地に設けられた開口部に一部が挿通可能に構成されている。フランジ部３７は、本体部３１からファンの回転軸に対して径方向外側に突出する。クランプ部材４は、フランジ部３７に対向してフランジ部３７と共に服地を挟持可能なクランプ位置と、クランプ位置よりもフランジ部３７から離れた退避位置との間で回動可能にハウジング３に支持されている。係止片４３１および係止凹部３２２は、クランプ部材４をハウジング３に対してクランプ位置で係止するように構成されている。【選択図】  図３
2019189981.tif 000002
【特許請求の範囲】
【請求項１】
衣服の服地に着脱可能に構成された送風装置であって、
ファンと、
前記ファンを収容するとともに、前記服地に設けられた開口部に一部が挿通可能に構成されたファン収容部と、前記ファン収容部から前記ファンの回転軸に対して径方向外側に突出する突出部とを含むハウジングと、
前記突出部に対向して前記突出部と共に前記服地を挟持可能なクランプ位置と、前記クランプ位置よりも前記突出部から離れた退避位置との間で回動可能に前記ハウジングに支持されたクランプ部材と、
前記クランプ部材を前記ハウジングに対して前記クランプ位置で係止するように構成された係止部とを備えたことを特徴とする送風装置。
【請求項２】
請求項１に記載の送風装置であって、
前記クランプ部材および前記係止部は、２つずつ設けられており、
前記２つの係止部は、前記２つのクランプ部材を夫々の前記クランプ位置で係止するように構成されていることを特徴とする送風装置。
【請求項３】
請求項２に記載の送風装置であって、
前記２つのクランプ部材は、夫々の回動軸が互いに平行となるように配置され、
前記２つのクランプ部材は、夫々の前記クランプ位置に向かって互いに離れる方向に回動し、且つ、夫々の前記退避位置に向かって互いに近づく方向に回動するように構成されていることを特徴とする送風装置。
【請求項４】
請求項１〜３の何れか１つに記載の送風装置であって、
前記突出部は、概ね環状に形成されたフランジ部を含み、
前記クランプ部材の少なくとも一部は、前記クランプ位置に配置された場合、前記フランジ部に対向して円弧状に延在するように構成されていることを特徴とする送風装置。
【請求項５】
請求項１〜４の何れか１つに記載の送風装置であって、
前記クランプ部材を前記ハウジングに対して前記退避位置で係止するように構成された付加係止部を更に備えたことを特徴とする送風装置。
【請求項６】
請求項１〜５の何れか１つに記載の送風装置であって、
前記ファン収容部は、前記ファンの前記回転軸と同軸状に配置され、前記開口部に挿通される筒状部を含み、
前記筒状部は、所定の外径を有する円筒の外周部が部分的に切り欠かれた形状を有し、
前記クランプ部材は、前記筒状部のうち、部分的に切り欠かれた部分に連結された端部を有し、
前記送風装置を前記回転軸の方向にみた場合、前記端部は、前記回転軸を中心とする、前記外径と同径の円の内側に位置することを特徴とする送風装置。
【請求項７】
請求項６に記載の送風装置であって、
前記送風装置を前記回転軸の方向にみた場合、前記退避位置に配置された前記クランプ部材は、全体が前記円の内側に位置することを特徴とする送風装置。
【請求項８】
衣服であって、
着用者の身体の少なくとも一部を覆うように構成され、且つ、開口部を有する服地と、
請求項１〜７の何れか１つに記載の送風装置とを備え、
前記送風装置の一部が前記開口部に挿通された状態で、前記クランプ位置に配置された前記クランプ部材と前記突出部とが前記開口部周りで前記服地を挟持することで、前記送風装置が前記服地に取り付けられることを特徴とする衣服。
【請求項９】
請求項８に記載の衣服であって、
前記ファン収容部は、前記ファンの前記回転軸と同軸状に配置され、前記開口部に挿通される筒状部を含み、
前記クランプ部材は、前記筒状部に連結された端部を有し、
前記筒状部の一部が前記開口部に挿通された状態で、前記クランプ位置に配置された前記クランプ部材と前記突出部とが前記開口部周りで前記服地を挟持することで、前記送風装置が前記服地に取り付けられ、
前記服地に取り付けられた前記送風装置を前記回転軸の方向にみた場合、前記端部は、前記開口部の内側に位置することを特徴とする送風装置。
【請求項１０】
請求項９に記載の衣服であって、
前記送風装置を前記回転軸の方向にみた場合、前記退避位置に配置された前記クランプ部材は、全体が前記開口部の内側に位置することを特徴とする送風装置。
【発明の詳細な説明】
【技術分野】
【０００１】
本発明は、衣服に着脱可能な送風装置および送風装置を備えた衣服に関する。
【背景技術】
【０００２】
衣服に取り外し可能に装着され、衣服内に送風することにより衣服内を通気する送風装置が知られている。例えば、特許文献１には、ファン本体部とリング状部材とを備えた送風装置が開示されている。ファン本体部は、吸気口および排気口を有し、モータおよびファンを収容するケース部と、ケース部の吸気口の周りに形成されたフランジ部とを有する。この送風装置は、次のようにして衣服に装着される。まず、ケース部が衣服に設けられた開口部に外側から挿入され、フランジ部が衣服の外側で開口部の周縁部に当接するように配置される。衣服の内側からリング状部材がケース部に嵌め込まれると、フランジ部とリング状部材の間に服地が挟持され、装着が完了する。
【先行技術文献】
【特許文献】
【０００３】
【特許文献１】国際公開第２００７／０６１０８８号
【発明の概要】
【発明が解決しようとする課題】
【０００４】
上記送風装置を衣服に取り付ける場合、使用者は、ファン本体部と、ファン本体部とは別体のリング状部材を、分離したり嵌め込んだりする必要がある。このため、使用者によっては、着脱時の操作が煩わしいと感じる場合があり、この送風装置には、更なる改善の余地がある。
【０００５】
本発明は、このような事情に鑑みてなされたものであり、衣服への着脱時の操作が容易な送風装置を提供することを目的とする。
【課題を解決するための手段】
【０００６】
本発明の一態様として、衣服の服地に着脱可能に構成された送風装置が提供される。この送風装置は、ファンと、ハウジングと、クランプ部材と、係止部とを備えている。
【０００７】
ハウジングは、ファン収容部と、突出部とを含む。ファン収容部は、ファンを収容するとともに、服地に設けられた開口部に一部が挿通可能に構成されている。突出部は、ファン収容部からファンの回転軸に対して径方向外側に突出している。クランプ部材は、クランプ位置と退避位置との間で回動可能にハウジングに支持されている。クランプ位置では、クランプ部材は、突出部に対向して、突出部と共に衣服の服地を挟持可能である。退避位置では、クランプ部材は、クランプ位置よりも突出部から離れた位置にある。係止部は、クランプ部材をハウジングに対してクランプ位置で係止するように構成されている。
【０００８】
本態様の送風装置は、ハウジングの突出部と、クランプ部材で服地を挟持するように構成されている。クランプ部材は、ハウジングと別体ではなく、ハウジングに回動可能に支持されている。よって、使用者は、クランプ部材をハウジングから取り外したり嵌め込んだりする必要がなく、クランプ部材をクランプ位置と退避位置との間で回動させる操作をするだけで、送風装置を衣服に容易に着脱することができる。なお、本態様でいう「クランプ部材をクランプ位置で係止する」とは、クランプ部材を、クランプ位置において移動不能に保持することだけでなく、クランプ位置からの若干の移動を許容しつつ保持することも含む意である。
【０００９】
本発明の一態様において、クランプ部材および係止部は、２つずつ設けられていてもよい。そして、２つの係止部は、２つのクランプ部材を夫々のクランプ位置で係止するように構成されていてもよい。本態様によれば、回動式の２つのクランプ部材を用いて服地を挟持できるため、クランプ部材が１つのみの場合に比べ、送風装置をより確実に服地に装着することができる。更に、本態様において、２つのクランプ部材は、夫々の回動軸が互いに平行となるように配置されていてもよい。そして、２つのクランプ部材は、夫々のクランプ位置に向かって互いに離れる方向に回動し、且つ、夫々の退避位置に向かって互いに近づく方向に回動するように構成されていてもよい。この場合、２つのクランプ部材のコンパクトで合理的な配置を実現することができる。
【００１０】
本発明の一態様において、ハウジングの突出部は、概ね環状に形成されたフランジ部を含んでもよい。そして、クランプ部材の少なくとも一部は、クランプ位置に配置された場合、フランジ部に対向して円弧状に延在するように構成されていてもよい。本態様によれば、フランジ部と、クランプ部材の円弧状の部分によって、安定して服地の挟持を維持することができる。なお、本態様において、クランプ部材は、クランプ位置に配置された場合、環状のフランジ部の概ね全周に対向するように構成されていると、より好ましい。
【００１１】
本発明の一態様において、送風装置は、クランプ部材をハウジングに対して退避位置で係止するように構成された付加係止部を更に備えていてもよい。本態様によれば、クランプ部材を、クランプ位置のみならず、退避位置でも係止することができる。よって、送風装置の衣服への着脱操作の邪魔にならないように、クランプ部材を退避位置で係止しておくことができる。なお、本態様でいう「クランプ部材を退避位置で係止する」とは、クランプ部材を、退避位置において移動不能に保持することだけでなく、退避位置からの若干の移動を許容しつつ保持することも含む意である。
【００１２】
本発明の一態様において、ファン収容部は、筒状部を含んでもよい。筒状部は、ファンの回転軸と同軸状に配置され、開口部に挿通される部分である。筒状部は、所定の外径を有する円筒の外周部が部分的に切り欠かれた形状を有していてもよい。クランプ部材は、筒状部のうち、部分的に切り欠かれた部分に連結された端部を有してもよい。そして、送風装置を回転軸の方向にみた場合、端部は、回転軸を中心とする、所定の外径と同径の円の内側に位置するとよい。本態様によれば、クランプ部材のうち、筒状部に連結された端部は、筒状部の最大径と同径の円よりも内側にある。よって、筒状部が服地の開口部に挿通されるときに、少なくとも、端部が服地に干渉することを回避でき、送風装置の衣服への着脱操作をより容易にすることができる。更に、本態様において、送風装置を回転軸の方向にみた場合、退避位置に配置されたクランプ部材は、全体が円の内側に位置すると、より好ましい。この場合、クランプ部材を退避位置に配置しておくことで、筒状部が服地の開口部に挿通されるときに、クランプ部材の全体が服地に干渉することを回避でき、送風装置の衣服への着脱操作を更に容易に且つスムーズにすることができる。
【００１３】
本発明の一態様によれば、服地と、送風装置とを備えた衣服が提供される。服地は、着用者の身体の少なくとも一部を覆うように構成されている。また、服地は、開口部を有する。送風装置としては、上述の態様のうち何れか１つ、または複数の組み合わせに係る送風装置が採用されうる。この衣服においては、送風装置の一部が開口部に挿通された状態で、クランプ位置に配置されたクランプ部材と突出部とが開口部周りで服地を挟持することで、送風装置が服地に取り付けられる。本態様によれば、上述のように、回動式のクランプ部材によって容易に着脱可能な送風装置を備えた衣服が提供される。
【００１４】
本発明の一態様において、ファン収容部は、筒状部を含んでもよい。筒状部は、ファンの回転軸と同軸状に配置され、開口部に挿通される部分である。クランプ部材は、筒状部に連結された端部を有してもよい。この衣服においては、筒状部の一部が開口部に挿通された状態で、クランプ位置に配置されたクランプ部材と突出部とが開口部周りで服地を挟持することで、送風装置が服地に取り付けられる。そして、服地に取り付けられた送風装置を回転軸の方向にみた場合、端部は、開口部の内側に位置していると、好ましい。本態様によれば、筒状部が服地の開口部に挿通されるときに、少なくとも、筒状部に連結された端部が服地に干渉することを回避でき、送風装置の衣服への着脱操作をより容易にすることができる。更に、本態様において、送風装置を回転軸の方向にみた場合、退避位置に配置されたクランプ部材は、全体が開口部の内側に位置していると、更に好ましい。この場合、クランプ部材を退避位置に配置しておくことで、筒状部が服地の開口部に挿通されるときに、クランプ部材の全体が服地に干渉することを回避でき、送風装置の衣服への着脱操作を更に容易に且つスムーズにすることができる。
【図面の簡単な説明】
【００１５】
【図１】送風装置が装着された上着の背面図である。
【図２】上着の内側を示す説明図である。
【図３】送風装置の斜視図である。
【図４】送風装置の正面図である。
【図５】図４のＶ−Ｖ線における断面図である。
【図６】送風装置の別の斜視図である。
【発明を実施するための形態】
【００１６】
以下、図面を参照して、本発明の実施形態について説明する。なお、以下の実施形態では、本発明に係る送風装置の一例として、送風装置１を例示する。また、送風装置１を着脱可能な衣服として、上着９を例示する。
【００１７】
まず、図１および図２を参照して、本実施形態の上着９および送風装置１の概略構成と、送風装置１の使用態様について、簡単に説明する。
【００１８】
図１に示すように、本実施形態の送風装置１は、例えば、上着９に装着されて使用される。図２に示すように、上着９は、左右の前身頃、後身頃、および袖を含み、着用者の上半身を覆う服地９０を主体として構成された、前開きで長袖の上衣である。上着９は、一般的には、下着やＴシャツ等の上に着用される。服地９０は、後身頃の下方（詳細には、着用時に使用者の腰周りの背中側を覆う部分）の２箇所に、送風装置１を取り付けるための取付け孔９１を有する。つまり、上着９には、２つの送風装置１が取り付け可能である。なお、取付け孔９１は、送風装置１の本体部３１（図３参照）の最大径と概ね同径の円形の貫通孔として構成されている。以下、取付け孔９１の周縁部を、ファン取付け部９３ともいう。なお、ファン取付け部９３は、送風装置１を安定して取り付け可能とするために、補強材によって補強されていることが好ましい。また、上着９（例えば、前身頃）には、送風装置１の電源としてのバッテリ８が装着されたバッテリホルダ８１を収容可能なポケット９４が設けられている。バッテリホルダ８１と２つの送風装置１は、二股状の接続ケーブル８３によって電気的に接続される。
【００１９】
図３〜図５に示すように、送風装置１は、モータ２１およびファン２３（図５参照）を収容するハウジング３と、ハウジング３に支持された２つのクランプ部材４とを備えている。ハウジング３は、ファン２３の形状に対応して、ファン２３の回転軸Ａ１方向にみて概ね円形の収容体として構成されている。ハウジング３の回転軸Ａ１方向における一端部には、ハウジング３を貫通する吸気口３３０（図１参照）が設けられる一方、他端部には、ハウジング３を貫通する排気口３４０が設けられている。また、ハウジング３の吸気口３３０と同じ側の端部には、径方向外側に突出する環状のフランジ部３７が設けられている。各クランプ部材４は、全体としては、半円に概ね対応する円弧状に形成されている。２つのクランプ部材４は、夫々の両端部においてハウジング３に連結されている。２つのクランプ部材４は、フランジ部３７に近接してフランジ部３７に対向する位置と、フランジ部３７からより離れた位置との間で回動可能である。
【００２０】
本実施形態では、送風装置１は、吸気口３３０が上着９の外部を臨み、フランジ部３７が上着９の外面側（つまり、着用者の身体とは反対側）に配置された状態で、ハウジング３の一部が取付け孔９１を通して上着９の内部（つまり、着用者の身体側）に挿入される。そして、対向配置されたクランプ部材４とフランジ部３７とによって、服地９０（詳細には、取付け孔９１周りのファン取付け部９３）が挟持される。これにより、送風装置１が上着９に装着される。送風装置１は、吸気口３３０を介して上着９の外部から空気を吸い込み、排気口３４０から上着９の内部へ向けて送出する。上着９の内部へ送出された空気は、使用者の身体を冷却しつつ上着９の内部を流れ、襟元や袖口から上着９の外部へ流出する。送風装置１の装着によって上着９内を通気可能とすることで、使用者は高温下においても快適な作業環境を得ることができる。
【００２１】
なお、以下の説明では、便宜上、送風装置１の方向に関しては、送風装置１が上着９に装着され、更に上着９が着用されたときの使用者の向きを基準として定義する。具体的には、ファン２３の回転軸Ａ１の延在方向を前後方向、上着９の外面側（つまり、ハウジング３の吸気口３３０およびフランジ部３７側）を後側、上着９の内面側（つまり、ハウジング３の排気口３４０側）を前側とする。
【００２２】
以下、送風装置１の詳細構成について説明する。
【００２３】
まず、ハウジング３内に収容されたモータ２１およびファン２３について説明する。図５に示すように、本実施形態では、モータ２１として、比較的小型で高出力なブラシレスモータが採用されている。また、ファン２３として、複数の羽根を備えた軸流ファンが採用されている。ファン２３は、モータ２１のロータと共に回転するモータシャフト２１１に同軸状に取り付けられている。ファン２３は、モータ２１の駆動に伴って、モータシャフト２１１の回転軸Ａ１周りにモータシャフト２１１と一体的に回転される。なお、本実施形態では、バッテリホルダ８１（図２参照）には、送風装置１（詳細には、モータ２１）の駆動開始および停止の指示を入力するための操作ボタン（図示略）が設けられている。また、操作ボタンは、モータ２１の回転数の設定のための指示も入力可能とされている。そして、バッテリホルダ８１に搭載されたコントローラ（例えば、ＣＰＵを備えたマイクロコンピュータ、図示略）によって、設定された回転数に応じてモータ２１の駆動制御が行われる。
【００２４】
次に、ハウジング３について説明する。図５に示すように、ハウジング３は、モータ２１およびファン２３を収容する本体部３１と、本体部３１から回転軸Ａ１に対して径方向外側に突出する環状のフランジ部３７とを含む。本体部３１は、筒状部３２と、吸気側カバー部３３と、排気側カバー部３４とを含む。なお、本実施形態のハウジング３は樹脂製である。
【００２５】
図５に示すように、筒状部３２は、筒状に形成された壁部であって、ファン２３の回転軸Ａ１と同軸状に、ファン２３の一部を囲むように配置されている。また、図４および図６に示すように、本実施形態では、筒状部３２は、所定の外径Ｄを有する円筒の外周部が部分的に切り欠かれた形状を有する。なお、外径Ｄは、本体部３１の最大径である。筒状部３２は、回転軸Ａ１の方向にみて（前側（排気側）からみて、あるいは、断面形状が）、回転軸Ａ１を中心とする、外径Ｄと同径の円Ｃの一部が切り欠かれた形状を有するということもできる。より詳細には、筒状部３２は、外径Ｄを有する円筒の外周面に対応する一対の円筒面３２１と、回転軸Ａ１を挟んで概ね平行に対向する一対の切欠き面３２５とを有する。各切欠き面３２５は、全体としては、回転軸Ａ１に直交する法線を有する平面状に形成されている。一対の切欠き面３２５の間の距離は、外径Ｄよりも小さい。筒状部３２のうち、切欠き面３２５が形成された壁部（以下、切欠き部３２４という）には、クランプ部材４が連結されている。
【００２６】
また、本実施形態では、筒状部３２には、クランプ部材４を所定位置で係止するための構成が設けられているが、この点については後で詳述する。
【００２７】
図５に示すように、吸気側カバー部３３は、回転軸Ａ１方向においてファン２３の吸気側に位置する端部（つまり、後端部）を覆うように配置されている。図１に示すように、吸気側カバー部３３は、後側からみて中央部に配置された板状の閉塞部３３１と、閉塞部３３１から概ね放射状に延在し、筒状部３２の後端部に接続する複数のリブ３３３とを含む。閉塞部３３１と複数のリブ３３３と筒状部３２の後端部によって規定される開口が、吸気口３３０を構成する。なお、吸気口３３０は、回転軸Ａ１方向に吸気側カバー部３３を貫通している。
【００２８】
図３に示すように、排気側カバー部３４は、筒状部３２に対し、回転軸Ａ１方向においてファン２３の排気側に位置する端部（つまり、前端部）を覆うように配置されている。本実施形態では、排気側カバー部３４は、全体としては、回転軸Ａ１方向において筒状部３２の前端部から離れる方向（前方）に突出する円形ドーム状に形成されている。排気側カバー部３４は、前側からみて中央部に配置された円板状の閉塞部３４１と、全体としては閉塞部３４１から円弧状に延在して筒状部３２の前端部に接続する複数のリブ３４３とを含む。閉塞部３４１と複数のリブ３４３と筒状部３２の前端部によって規定される開口が、排気口３４０を構成する。なお、排気口３４０は、回転軸Ａ１方向および回転軸Ａ１に交差する方向に排気側カバー部３４を貫通している。ファン２３が回転駆動されると、後方から前方へ、吸気口３３０を通ってハウジング３内へ流入した空気は、排気口３４０を通って、後方から前方へ、また径方向外側へ向かって流出する。
【００２９】
フランジ部３７は、筒状部３２の後端部から径方向外側に突出する環状の部分である。本実施形態では、フランジ部３７の前面は、回転軸Ａ１に概ね直交する平面状に形成されている。フランジ部３７の前面は、クランプ位置に配置されたクランプ部材４に対向し、服地９０（ファン取付け部９３）を挟持する挟持面として機能する。
【００３０】
なお、図５に示すように、排気側カバー部３４の周方向における一部には、凹部３４５が設けられている。凹部３４５に対して回転軸Ａ１側には、モータ２１に電気的に接続されたコネクタ３４６が配置されている。上述のようにバッテリホルダ８１に接続された接続ケーブル８３のコネクタ８３１（図１参照）が凹部３４５に配置され、コネクタ３４６に接続されることで、バッテリホルダ８１と送風装置１とが電気的に接続される。
【００３１】
以下、クランプ部材４について説明する。図３および図４に示すように、本実施形態では、２つのクランプ部材４がハウジング３に支持されている。各クランプ部材４は、全体としては、半円に概ね対応する円弧状に形成された樹脂製の部材である。クランプ部材４は、２つの端部４１と、接続部４３と、押え部４５とを含む。詳細な図示は省略するが、２つの端部４１は、切欠き部３２４に設けられた支持孔に挿入された突起を介して、筒状部３２に対して回動可能に連結されている。接続部４３は、２つの端部４１を接続する円弧状の部分である。なお、接続部４３は、外径Ｄの円の円周に対応する円弧状とされている（図４参照）。押え部４５は、接続部４３の全長に亘って、接続部４３に交差する方向に接続部４３から突出する部分である。なお、クランプ部材４のうち、少なくとも端部４１および接続部４３は、径方向の可撓性を有している。
【００３２】
各クランプ部材４は、上述のように２つの端部４１を介して切欠き部３２４に連結され、所定の回動軸周りに回動可能とされている。より詳細には、２つのクランプ部材４は、夫々、
回転軸Ａ１に直交し、且つ、互いに平行な回動軸Ａ２、Ａ３周りに回動可能に支持されている。回動軸Ａ２、Ａ３は、回転軸Ａ１を挟んで対称状に配置され、一対の切欠き面３２５の中央部に概ね直交するように延在する。以下では、回転軸Ａ２周りに回動可能なクランプ部材４をクランプ部材４０２、回転軸Ａ３周りに回動可能なクランプ部材４をクランプ部材４０３ともいい、両者を総称する場合、または何れか一方を区別なく指す場合、単にクランプ部材４という。なお、図４に示すように、各クランプ部材４の両端部４１は、夫々、一対の切欠き面３２５に当接するように配置されている。また、各クランプ部材４の両端部４１は、ハウジング３を回転軸Ａ１の方向に（前側（排気側）から）みた場合、回転軸Ａ１を中心とする外径Ｄと同径の円Ｃの内側に位置している。
【００３３】
本実施形態では、各クランプ部材４は、クランプ位置と退避位置との間で回動可能に構成されている。
【００３４】
クランプ位置とは、クランプ部材４が回転軸Ａ１方向（前後方向）において筒状部３２のフランジ部３７に近接して対向する位置であって、フランジ部３７と共に服地９０を挟持可能な位置である。図４および図５に示すクランプ部材４０３のように、クランプ部材４がクランプ位置に配置されると、接続部４３は、円筒面３２１に沿って配置される。また、押え部４５は、接続部４３から筒状部３２の径方向外側に突出してフランジ部３７の前面に対向し、フランジ部３７に沿って円弧状に延在する。押え部４５の一面は、クランプ部材４がクランプ位置に配置されているとき、フランジ部３７の前面に概ね平行に対向し、服地９０を挟持する挟持面として機能する。なお、クランプ部材４がクランプ位置に配置されたときの、回転軸Ａ１方向（前後方向）における押え部４５とフランジ部３７との間の距離は、服地９０（補強材を含むファン取付け部９３ともいえる）の厚みに概ね対応する。
【００３５】
退避位置とは、クランプ部材４がクランプ位置よりもフランジ部３７から離間した位置であって、フランジ部３７と共に服地９０を挟持不能な位置である。なお、本実施形態では、退避位置は、接続部４３の中央部が排気側カバー部３４の閉塞部３４１に対向する位置とされている。なお、図４に示すクランプ部材４０２のように、クランプ部材４が退避位置に配置されたときには、ハウジング３を回転軸Ａ１の方向に（前側（排気側）から）みた場合、クランプ部材４の全体が、円Ｃの内側に位置している。
【００３６】
このように、本実施形態では、２つのクランプ部材４は、夫々のクランプ位置に向かって互いに離れる方向（後方）に回動し、且つ、夫々の退避位置に向かって互いに近づく方向（前方）に回動するように構成されている。なお、以下では、クランプ部材４の回動方向において、退避位置からクランプ位置へ向かう方向（図５に矢印Ａで示す方向）をクランプ方向、クランプ位置から退避位置へ向かう方向（図５に矢印Ｂで示す方向）を退避方向というものとする。
【００３７】
以下、クランプ部材４を所定位置で係止するための構成について説明する。より詳細には、本実施形態では、本体部３１には、各クランプ部材４をクランプ位置で係止するための構成と、退避位置で係止するための構成とが設けられている。
【００３８】
まず、クランプ部材４をクランプ位置で係止するための構成について説明する。
【００３９】
図３〜図５に示すように、筒状部３２は、２つの係止凹部３２２を有する。より詳細には、各係止凹部３２２は、円筒面３２１の中央前端部に形成されている。一方、クランプ部材４の接続部４３の中央部には、クランプ部材４がクランプ位置に配置されたときに前方へ突出する係止片４３１が設けられている。係止片４３１は、矩形板状に形成されており、その法線が回動軸Ａ２、Ａ３に概ね直交するように配置されている。係止片４３１は、法線方向の可撓性を有している。係止片４３１の内面（ハウジング３側に配置される面）には、爪４３２が設けられている。クランプ部材４がクランプ位置に配置されると、爪４３２が係止凹部３２２に入り込み、係止凹部３２２に係合する（クランプ部材４０３参照）。係止片４３１（爪４３２）と係止凹部３２２との係合により、クランプ部材４はクランプ位置で係止（保持）される。なお、ここでいう「係止される」とは、完全に移動不能な状態で保持されることに限られず、若干の動きは許容された状態で保持されることも含まれる。
【００４０】
クランプ位置にあるクランプ部材４を退避位置へ移動させる場合、使用者は、係止片４３１を筒状部３２の径方向外側へ撓ませて係止凹部３２２に対する爪４３２の係止を解除し、クランプ部材４を退避方向（図５の矢印Ｂの方向）へ回動させればよい。
【００４１】
更に、図３、図４および図６に示すように、筒状部３２に設けられた一対の切欠き部３２４のうち一方には、２つの係止突起３２６が設けられている。２つの係止突起３２６は、切欠き面３２５の前端部の両端部に設けられている。各係止突起３２６は、切欠き面３２５から径方向外側に突出する略半球状の突起であって、その突出量は、端部４１の厚みに比べてかなり小さい。２つの係止突起３２６は、夫々のクランプ位置に配置された２つのクランプ部材４の端部４１に対し、退避方向側で当接する位置に配置されている。各係止突起３２６は、クランプ部材４に当接することで、クランプ位置にあるクランプ部材４（クランプ部材４０３参照）が退避方向に回動することを規制する。なお、本実施形態では、各クランプ部材４は、主として上述の係止片４３１と係止凹部３２２の係合によってクランプ位置で係止される。よって、係止突起３２６は、一対の切欠き部３２４のうち一方にのみ、各クランプ部材４の一方の端部４１に対応して設けられ、補助的な係止機構として機能する。
【００４２】
使用者がクランプ位置にあるクランプ部材４を退避位置へ回動させる過程で、端部４１は、筒状部３２の径方向外側へ若干撓みつつ係止突起３２６を乗り越える。つまり、クランプ部材４の退避位置への回動操作に伴って、係止突起３２６による係止が解除される。本実施形態では、係止突起３２６の突出量は僅かであるため、このように、回動操作に伴って係止突起３２６の係止を容易に解除することができる。端部４１が係止突起３２６を乗り越えると、端部４１は、その復元力により切欠き面３２５に当接する位置に復帰する。
【００４３】
次に、クランプ部材４を退避位置で係止するための構成について説明する。
【００４４】
切欠き面３２５から突出する上述の係止突起３２６は、クランプ部材４を退避位置でも係止可能に構成されている。より詳細には、図３に示すように、係止突起３２６は、退避位置に配置されたクランプ部材４の端部４１に対し、クランプ方向側で当接することで、退避位置にあるクランプ部材４がクランプ方向に回動することを規制する。更に、切欠き部３２４の前端には、退避位置にあるクランプ部材４が更に退避方向に回動するのを規制するように構成されたストッパ３２７が設けられている。図３に示すように、ストッパ３２７は、切欠き面３２５から径方向外側へ突出する略三角柱状の突起として構成されており、三角柱の２つの側面が前方（排気側）へ向かって広がる向きで配置されている。クランプ部材４が退避位置に配置されると、端部４１は、クランプ部材４の回動方向において、係止突起３２６とストッパ３２７の側面とに挟まれ、退避位置で係止（保持）される（クランプ部材４０２参照）。
【００４５】
使用者が、退避位置にあるクランプ部材４をクランプ位置へ回動させると、退避位置への回動時と同様、端部４１は径方向外側へ若干撓みつつ、係止突起３２６を乗り越える。端部４１が係止突起３２６を乗り越えると、端部４１は、その復元力により切欠き面３２５に当接する位置に復帰する。なお、本実施形態では、係止片４３１（爪４３２）と係止凹部３２２との係合によりクランプ部材４が係止されるクランプ位置に比べ、係止突起３２６の当接によりクランプ部材４が係止される退避位置での係止は緩やかであるといえる。これは、クランプ位置では、服地９０をしっかりと挟持するために、クランプ部材４をクランプ位置でより確実に係止(保持）することが必要なためである。
【００４６】
以下、衣服（例えば、上着９）に対する送風装置１の着脱方法について説明する。
【００４７】
送風装置１を上着９に装着する場合には、使用者はまず、２つのクランプ部材４を両方とも退避位置（図３のクランプ部材４０２の位置）に配置する。上述のように、各クランプ部材４は、係止突起３２６およびストッパ３２７によって退避位置で係止される。これにより、２つのクランプ部材４は何れも、回転軸Ａ１の方向に（前側（排気側）から）みた場合、その全体が、回転軸Ａ１を中心とする外径Ｄと同径の円Ｃの内側に配置される（図４のクランプ部材４０２の状態）。
【００４８】
使用者は、クランプ部材４が退避位置に配置された状態の本体部３１の一部を、上着９の外側から、取付け孔９１（図２参照）を通して上着９の内側（後身頃の前面側）に挿入する。上述のように、取付け孔９１は、本体部３１の最大径（つまり、外径Ｄ）と概ね同径であるから、円Ｃ（図４参照）の径とも同径である。上述のように、退避位置にあるクランプ部材４は、全体が前側からみて円Ｃの内側に収まっているため、ファン取付け部９３にクランプ部材４が干渉することなく、本体部３１を取付け孔９１から容易且つスムーズに挿入することができる。これにより、フランジ部３７が後身頃（ファン取付け部９３）の外面に当接した状態で、ハウジング３の筒状部３２および排気側カバー部３４と、クランプ部材４とが上着９の内側に配置される。
【００４９】
更に、使用者は、上着９の内側において、上述のように、クランプ部材４に対する係止突起３２６の係止を解除しつつ、２つのクランプ部材４を両方ともクランプ位置（図５のクランプ部材４０３の位置）に回動させる。そして、係止片４３１を係止凹部３２２に係合させることで、クランプ部材４をクランプ位置で係止する。これにより、服地９０（ファン取付け部９３）がクランプ部材４とフランジ部３７とによって前側と後側から挟み込まれ、上着９に対する送風装置１の装着が完了する。
【００５０】
使用者は、装着時とは逆の手順で送風装置１を上着９から取り外すことができる。具体的には、使用者はまず、上着９の内側において、係止片４３１と係止凹部３２２の係合を解除し、クランプ部材４を退避方向に退避位置まで回動させる。クランプ部材４は、係止突起３２６およびストッパ３２７によって退避位置で係止される。この状態で、使用者は、上着９の外側から、取付け孔９１に挿入されたハウジング３を引き出す。このときも、装着時と同様、退避位置に配置されたクランプ部材４がファン取付け部９３に干渉することなく、本体部３１を取付け孔９１から容易且つスムーズに引き出すことができる。これにより、送風装置１の上着９からの取り外しが完了する。
【００５１】
以上に説明したように、本実施形態の送風装置１は、クランプ位置で係止されたクランプ部材４と、ハウジング３のフランジ部３７とによって、服地９０（ファン取付け部９３）を挟持するように構成されている。クランプ部材４は、ハウジング３と別体ではなく、ハウジング３（筒状部３２）に回動可能に支持されている。よって、使用者は、クランプ部材４をクランプ位置と退避位置との間で回動させる操作をするだけで、送風装置１を服地９０（ファン取付け部９３）に容易に着脱することができる。従来、フランジ部を有するハウジングに、ハウジングとは別体のリング状部材を嵌め込み、フランジ部とリング状部材とで服地を挟持する構成の送風装置が一般的である。このような２つの部材による着脱操作は、煩わしいと感じる使用者もある。また、ハウジングから取り外したリング状部材をなくしてしまう可能性もある。本実施形態の送風装置１によれば、着脱操作の煩わしさを軽減でき、更に、部品をなくす可能性もない。
【００５２】
また、本実施形態の送風装置１では、クランプ部材４のクランプ位置への回動に伴って、係止片４３１の爪４３２が係止凹部３２２に係合し、クランプ部材４がクランプ位置で係止される。つまり、使用者は、クランプ位置への回動操作のみを行えばよく、クランプ部材４をクランプ位置で係止するための個別の操作をする必要がない。また、従来の送風装置のように、ハウジングと、ハウジングとは別体のリング状部材とを、所定の係止位置に位置合わせする必要もない。このように、送風装置１では、使用者にとって利便性の高い係止構成が実現されている。
【００５３】
また、本実施形態では、クランプ部材４は２つ設けられており、夫々が、係止片４３１と係止凹部３２２の係合を介してクランプ位置で係止される。よって、クランプ部材４が１つのみの場合に比べ、送風装置１をより確実に服地９０に装着することができる。更に、２つのクランプ部材４は、平行な回動軸Ａ２、Ａ３周りに回動可能であって、夫々のクランプ位置に向かって互いに離れる方向に回動し、且つ、夫々の退避位置に向かって互いに近づく方向に回動するように構成されている。このような構成により、２つのクランプ部材４のコンパクトで合理的な配置が実現されている。また、クランプ部材４は、クランプ位置に配置された場合、フランジ部３７に対向して円弧状に延在するように構成された押え部４５を含む。よって、フランジ部３７と押え部４５によって、安定して服地９０の挟持を維持することができる。更に、本実施形態では、２つのクランプ部材４は、フランジ部３７の概ね全周に対向するように構成されているため、更に安定して服地９０の挟持を維持することができる。
【００５４】
また、本実施形態では、クランプ部材４は、係止突起３２６およびストッパ３２７によって、退避位置で係止される。よって、送風装置１の上着９への着脱操作の邪魔にならないように、クランプ部材４を退避位置で係止しておくことができる。特に、本実施形態では、送風装置１を回転軸Ａ１の方向に（前側から）みた場合、退避位置に配置されたクランプ部材４は、全体が筒状部３２の最大径（外径Ｄ）と同径の円Ｃよりも内側にある。また、退避位置に配置されたクランプ部材４は、全体が上着９に設けられた取付け孔９１よりも内側にある。よって、クランプ部材４を退避位置に配置しておくことで、筒状部３２が取付け孔９１に挿通されるときに、クランプ部材４の全体が服地９０に干渉することを回避でき、送風装置１の上着９への着脱操作を容易に且つスムーズにすることができる。
【００５５】
上記実施形態の各構成要素と本発明の各構成要素の対応関係を以下に示す。上着９、服地９０、取付け孔９１は、夫々、本発明の「衣服」、「服地」、「開口部」の一例である。送風装置１は、本発明の「送風装置」の一例である。ファン２３は、本発明の「ファン」の一例である。ハウジング３、本体部３１、フランジ部３７は、夫々、本発明の「ハウジング」、「ファン収容部」、「突出部」の一例である。クランプ部材４は、本発明の「クランプ部材」の一例である。係止片４３１（爪４３２）および係止凹部３２２は、本発明の「係止部」の一例である。フランジ部３７は、本発明の「フランジ部」の一例である。係止突起３２６およびストッパ３２７は、「付加係止部」の一例である。筒状部３２は、本発明の「筒状部」の一例である。端部４１は、本発明の「端部」の一例である。
【００５６】
上記実施形態は単なる例示であり、本発明に係る送風装置および衣服は、例示された送風装置１および上着９の構成に限定されるものではない。例えば、下記に例示される変更を加えることができる。なお、これらの変更は、これらのうちいずれか１つのみ、あるいは複数が、実施形態に示す送風装置１、上着９、あるいは各請求項に記載された発明と組み合わされて採用されうる。
【００５７】
例えば、クランプ部材４は、クランプ位置と退避位置との間で回動可能にハウジング３に支持されていればよく、その構成は、適宜変更可能である。また、フランジ部３７についても、クランプ位置に配置されたクランプ部材４と共に服地９０を挟持可能であればよく、その構成は、適宜変更可能である。
【００５８】
例えば、クランプ部材４の数は、１つであってもよいし、３つ以上であってもよい。例えば、２つのクランプ部材４に代えて、上記実施形態のクランプ部材４０２のみが設けられ、筒状部３２に、クランプ部材４０３がクランプ位置に配置されたときの押え部４５に相当する円弧状の突出部が設けられてもよい。この場合、この突出部と突出部に対向するフランジ部３７の間にファン取付け部９３の一部が挟まれた状態で、取付け孔９１に本体部３１が挿通された後、クランプ部材４０２がクランプ位置に回動されればよい。これにより、上記実施形態のクランプ部材４０２、４０３とフランジ部３７によるのと同様に、服地９０を挟持することができる。
【００５９】
また、クランプ部材４の形状やハウジング３に対する連結態様も、上記実施形態の例に限られない。例えば、複数のクランプ部材が、夫々の一端部において、排気側カバー部３４の閉塞部３４１に回動可能に支持されていてもよい。この場合、クランプ位置に配置されたクランプ部材は、リブ３４３に沿って放射状に延在し、他端部に設けられた押え部がフランジ部３７との間に服地９０を挟持可能であればよい。
【００６０】
フランジ部３７は、必ずしも筒状部３２を全周に亘って環状に取り巻く必要はなく、ハウジング３に、クランプ位置に配置されたクランプ部材４と対向するように径方向外側に突出する突出部が設けられていればよい。例えば、上記実施形態において、フランジ部３７は、切欠き部３２４に対応する部分（つまり、押え部４５には対向しない部分）が切り欠かれていてもよい（つまり、概ね環状に形成されていてもよい）。あるいは、フランジ部３７に代えて、筒状部３２の外周部から放射状に突出する複数の突出部が設けられていてもよい。また、フランジ部３７は、筒状部３２の後端部ではなく、中央部に設けられていてもよい。
【００６１】
なお、クランプ部材４およびフランジ部３７に変更が加えられる場合、服地９０を安定して挟持するためには、クランプ部材４がクランプ位置に配置されたときに、本体部３１の周囲のできるだけ多くの部分で両者が服地９０を挟持可能に構成されていることが好ましい。
【００６２】
また、上記実施形態では、図４に示すように、ハウジング３に連結された端部４１は、送風装置１を回転軸Ａ１の方向に（前側から）みた場合、筒状部３２の最大径（外径Ｄ）と同径の円Ｃよりも内側にあるが、必ずしも円Ｃの内側にある必要はない。例えば、筒状部３２は、切欠き部３２４を含まず、外径Ｄを有する円筒状に形成されていてもよい。この場合、端部４１は、円Ｃの外側に配置されることになる。同様に、退避位置に配置されたクランプ部材４についても、必ずしも全体が円Ｃの内側にある必要はない。特に、取付け孔９１に挿通される本体部３１の最大径よりも取付け孔９１の径の方が大きい場合には、端部４１や退避位置にあるクランプ部材４が、回転軸Ａ１の方向に（前側から）みて円Ｃの外側にあっても、取付け孔９１の内側にあれば、上記実施形態と同様、本体部３１を取付け孔９１に容易且つスムーズに挿通することができる。
【００６３】
クランプ部材４をクランプ位置でハウジング３に対して係止するための構成は、係止片４３１（爪４３２）および係止凹部３２２や係止突起３２６に限られず、例えば、クランプ部材４の一部に係合可能な構成が、ハウジング３に、またはハウジング３とは別体として、設けられればよい。なお、送風装置１の着脱操作が容易であるとの観点からは、クランプ部材４のクランプ位置への回動に応じてクランプ部材４の一部に係合する構成が好ましい。例えば、本体部３１に可撓性を有する係止片が設けられ、係止片の爪が、クランプ部材４に設けられた係止凹部に係合可能であってもよい。本体部３１に、例えば回動式の留め具が設けられてもよい。
【００６４】
また、送風装置１が、服地の厚みが異なる複数種類の衣服に着脱可能な場合がある。そこで、クランプ部材４をクランプ位置でハウジング３に対して係止するための構成は、服地の厚みに応じて、クランプ位置に配置されたクランプ部材４およびフランジ部３７の間の回転軸Ａ１方向における距離を調整可能に構成されていてもよい。例えば、係止凹部３２２は、回転軸Ａ１方向に沿って形成された断面Ｖ字状の複数の溝を含んでもよい。この場合、係止片４３１の爪４３２を、服地の厚みに応じて適切な溝に係合させることができる。
【００６５】
クランプ部材４を退避位置でハウジング３に対して係止するための構成は、クランプ位置で係止するための構成と同様に変更されてもよいし、省略されてもよい。例えば、クランプ部材４０２、４０３の係止片４３１に、クランプ部材４０２、４０３が退避位置に配置されたときに、互いに係合する凸部と凹部を夫々設けてもよい。つまり、退避位置で係止するための構成は、クランプ部材４のみに設けられてもよい。
【００６６】
また、例えば、筒状部３２、吸気側カバー部３３、排気側カバー部３４の形状、吸気口３３０や排気口３４０の数や位置が変更されてもよい。また、モータ２１として、ブラシレスモータに代えて、ブラシを有するモータが採用されてもよい。１つのハウジング３内に複数のファン２３が収容された構成であってもよい。この場合、ファン２３の数に対応して、モータ２１も複数設けられていてもよい。
【００６７】
更に、本発明に係る衣服は、必ずしも上着９のような前開きの長袖の上衣である必要はなく、例えば、フード付きの上衣、袖無しの上衣（ベスト）、上衣とズボンがつながった所謂つなぎ服、またはズボンとしても好適に実現することができる。なお、衣服の用途は特に限定されるものではなく、例えば、作業着、スポーツウェア、レジャーウェア、消防服、防護服、手術着等として実現されうる。また、衣服は、表地と裏地の２層構造の服地を備えていてもよい。この場合、取付け孔９１が表地に設けられ、送風装置１の装着時には、排気側カバー部３４が表地と裏地の間の内部空間に配置されてもよい。この場合、冷却の必要性が高い襟元や脇等に、適宜、通気度が比較的高い領域（開口を含む）が設けられ、ここから流出する空気によって着用者の身体が冷却されてもよい。また、衣服における取付け孔９１の大きさや形状は、装着される送風装置の構成に応じて適宜変更されうる。また、取付け孔９１の位置および数（つまり、取付け可能な送風装置１の数）等も、適宜変更することができる。
【００６８】
本発明および上記実施形態の趣旨に鑑み、以下の態様が構築される。以下の態様のうち少なくとも１つが、上述の実施形態、変形例、もしくは各請求項に記載された発明と組み合わされて採用されてもよい。
【００６９】
［態様１］
前記２つのクランプ部材の前記回動軸は、前記ファンの前記回転軸に直交し、且つ、前記回転軸を挟んで対称状に延在し、
前記クランプ位置に配置された前記２つのクランプ部材は、前記ファンの前記回転軸の方向にみた場合、前記筒状部の外周面に沿って円弧状に配置されてもよい。
本態様によれば、筒状部に対するクランプ部材のコンパクトで合理的な配置を実現することができる。
［態様２］
前記係止部は、前記クランプ部材および前記ファン収容部のうち一方に設けられた凸部と、前記クランプ部材および前記ファン収容部のうち他方に設けられた凹部を含んでもよい。
本態様によれば、クランプ部材とハウジングに、シンプルでコンパクトな構成の係止部を設けることができる。なお、上記実施形態の爪４３２、係止凹部３２２は、夫々、本態様の「凸部」、「凹部」の一例である。
［態様３］
態様２において、
前記凸部と前記凹部は、前記クランプ部材が前記クランプ位置へ回動するのに伴って係合するように構成されていてもよい。
本態様によれば、使用者がクランプ部材をクランプ位置へ回動操作するだけで、クランプ部材をクランプ位置で係止させることができる。
［態様４］
衣服の服地に着脱可能に構成された送風装置であって、
ファンと、
前記ファンを収容するとともに、前記服地に設けられた開口部に一部が挿通可能に構成されたファン収容部と、前記ファン収容部から前記ファンの回転軸に対して径方向外側に突出する突出部とを含むハウジングと、
前記突出部に対向して前記突出部と共に前記服地を挟持可能なクランプ位置と、前記クランプ位置よりも前記突出部から離れた退避位置との間で回動可能に前記ハウジングに各々が支持された少なくとも１つのクランプ部材と、
前記少なくとも１つのクランプ部材を前記ハウジングに対して前記クランプ位置で係止するように構成された少なくとも１つの係止部とを備えたことを特徴とする送風装置。
［態様５］
態様４に記載の送風装置であって、
前記少なくとも１つのクランプ部材は、２つのクランプ部材を含み、
前記少なくとも１つの係止部は、前記２つのクランプ部材を夫々の前記クランプ位置で係止するように構成された２つの係止部を含むことを特徴とする送風装置。
【符号の説明】
【００７０】
１：送風装置
２１：モータ
２１１：モータシャフト
２３：ファン
３：ハウジング
３１：本体部
３２：筒状部
３２１：円筒面
３２２：係止凹部
３２４：切欠き部
３２５：切欠き面
３２６：係止突起
３２７：ストッパ
３３：吸気側カバー部
３３０：吸気口
３３１：閉塞部
３３３：リブ
３４：排気側カバー部
３４０：排気口
３４１：閉塞部
３４３：リブ
３４５：凹部
３４６：コネクタ
３６：ファン
３７：フランジ部
４、４０２、４０３：クランプ部材
４１：端部
４３：接続部
４３１：係止片
４３２：爪
４５：押え部
８：バッテリ
８１：バッテリホルダ
８３：接続ケーブル
８３１：コネクタ
９：上着
９０：服地
９１：取付け孔
９３：ファン取付け部
９４：ポケット
Ａ１：回転軸
Ａ２、Ａ３：回動軸
【図１】
2019189981.tif 000003
【図２】
2019189981.tif 000004
【図３】
2019189981.tif 000005
【図４】
2019189981.tif 000006
【図５】
2019189981.tif 000007
【図６】
2019189981.tif 000008